(57)【要約】【課題】軽量で運搬性や施工性が良く、製作が簡単でコストを抑えることができ、外形寸法に比べて内容積の大きいハンドホールを提供する。【解決手段】フレーム材１ａで立方体形の骨格１を組立て、この骨格１に底面パネル２と、孔開け加工の可能な側面パネル３と、点検口４ａが形成された上面パネル４をそれぞれ取付けた構成のハンドホールとする。立方体形の骨格１と六面のパネル２，３，４からなるため、コンクリート製のハンドホールに比べると遥かに軽量で持運びが容易であり、外径寸法に比べて内容積が大きく、しかも埋設現場でケーブル管５に対応して側面パネル３に孔３ｂを開けてケーブル管５を差込み接続できるので施工性が良好である。【選択図】  図１
2005030044.tif 000002
【特許請求の範囲】
【請求項１】
フレーム材で立方体形の骨格を組立て、この骨格に、底面パネルと、孔開け加工の可能な側面パネルと、点検口が形成された上面パネルを，それぞれ取付けたことを特徴とするハンドホール。
【請求項２】
フレーム材が骨格のコーナー部において接合部品により接合されることにより組立てられている請求項１に記載のハンドホール。
【請求項３】
骨格とそれぞれのパネルとの間に防水材を挟着したことを特徴とする請求項１又は請求項２に記載のハンドホール。
【発明の詳細な説明】
【０００１】
【発明の属する技術分野】
本発明は、地中ケーブル溝の途中に埋設されるハンドホールに関する。
【０００２】
【従来の技術】
近年、道路の景観を高め、円滑な道路交通を確保するため、電線や通信線などのケーブルを道路や歩道に埋設する地中ケーブル溝の整備が急ピッチで進められている。斯かる地中ケーブル溝においては、ケーブルの分岐箇所や変電機器類の埋設箇所にハンドホールを埋設することによって、点検や修理を容易に行えるようにしている。
【０００３】
この種のハンドホールは、その大半がコンクリート製のものであり、例えば、コンクリート壁のケーブル貫通予定箇所に円筒状スリーブを埋め込むことによって、ケーブル管を差し込む孔を予め形成した箱型のハンドホール等が知られている（例えば特許文献１参照）。
【０００４】
【特許文献１】
特開平９−２２１７６８号公報（第１頁、第１図）
【０００５】
【発明が解決しようとする課題】
しかしながら、上記のようなコンクリート製のハンドホールは、重量が大きいため人力では運べず、設置場所まで自動車で運搬する必要があり、道路から離れた場所に設置することは困難であった。しかも、ケーブル管を差し込む孔が予め形成されているため、施工現場でケーブル管と孔とを位置合わせして接続する作業が面倒であり、この点でも施工性が良くないという問題があった。
【０００６】
また、上記のようなコンクリート製のハンドホールは、サイズ等の異なるものが必要になる都度、別の型枠を製作して成形しなければならないため、小ロット生産の場合には製品単価が高くなるという問題があり、更に、コンクリート壁の厚みを大きくして強度を得ているため、嵩張るわりには内容積が小さく、挿通するケーブルの本数があまり多くないという問題もあった。
【０００７】
本発明は上記の問題に対処すべくなされたもので、その目的とするところは、軽量で運搬性と施工性が良く、製作が簡単でコストを抑えることができ、外形寸法に比べて内容積の大きいハンドホールを提供することにある。
【０００８】
【課題を解決するための手段】
上記目的を達成するため、本発明に係るハンドホールは、フレーム材で立方体形の骨格を組立て、この骨格に、底面パネルと、孔開け加工の可能な側面パネルと、点検口が形成された上面パネルを，それぞれ取付けたことを特徴とするものである。ここに「立方体形」とは、縦、横、高さの寸法が等しい立方体形状のほかに、縦、横、高さの寸法が異なる直方体形状をも含む概念の用語である。
【０００９】
このような立方体形の骨格と六面のパネルからなるハンドホールは、従来のコンクリート製のハンドホールに比べると、遥かに軽量で持運びが容易であり、重機等を使用しないで簡単に埋設することができる。そして、埋設現場でケーブル管に対応して側面パネルに孔を開け、ケーブル管を差込み接続することができるので、施工性が良好である。また、立方体形の骨格と六面のパネルからなるハンドホールは、その外形寸法を従来のコンクリート製のハンドホールより小さくしても、十分な内容積を確保して多数のケーブルを挿通できるため、埋設スペースの少ない狭小な歩道等の地中に埋設する場合に有利である。しかも、このハンドホールは、フレーム材で組立てた骨格に六面のパネルを取付けるだけの作業によって簡単に製作でき、フレーム材やパネルを切断してその寸法を変えれば、所望の大きさを有する立方体形のハンドホールを安価に製作することができる。
【００１０】
本発明のハンドホールにおいては、フレーム材が骨格のコーナー部において接合部品により接合されることにより組立てられていることが望ましく、このようなハンドホールは、狭い場所を通り、しかも道路から離れた場所に設置する場合にも、フレーム材を骨格として組立てない状態で各パネルと共に人力で運搬した後、設置現場で組立てることが可能である。
【００１１】
また、本発明のハンドホールにおいては、骨格とそれぞれのパネルとの間に防水材を挟着することが望ましく、このように防水材を挟着するとハンドホール内部への地中水の侵入を防止してケーブルを保護することができる。
【００１２】
【発明の実施の形態】
以下、図面を参照して本発明の具体的な実施形態を詳述する。
【００１３】
図１は本発明の一実施形態に係るハンドホールの斜視図、図２は同ハンドホールの分解斜視図、図３は同ハンドホールの骨格のコーナー部を示す拡大部分斜視図である。
【００１４】
このハンドホールは、図２に示すように、１２本のフレーム材１ａで立方体形の骨格１を組立て、この骨格１に、底面パネル２と、孔開け加工の可能な４枚の側面パネル３と、点検口４ａが形成された上面パネル４をそれぞれ取付けることにより、図１に示すような縦、横、高さの寸法が等しい箱型のハンドホールとしたものである。
【００１５】
骨格１を形成するフレーム材１ａは、抗折強度の大きいＬ形の断面形状を備えたもので、各フレーム材１ａにはパネル固定用の止具挿通孔１ｂが間隔を開けて穿孔されている。
【００１６】
これらのフレーム材１ａは、図２、図３に示すように、骨格１のコーナー部において接合部品１ｃにより接合されている。この接合部品１ｃは、高さ方向のフレーム材１ａの内面に沿うように直角に折曲された二股状の部品であって、その両脚部１ｄ，１ｄに止具挿通孔１ｅ，１ｅが形成されている。この接合部品１ｃは高さ方向のフレーム材１ａの端部内面に予め溶接等の手段で固定されており、骨格１を組立てるときに、この接合部品１ｃの両脚部１ｄ，１ｄをコーナー部の縦方向及び横方向のフレーム材１ａ，１ａの端部内面に当接してボルト・ナットやリベット等の止具（不図示）で固定するか、或いは、両脚部１ｄ，１ｄを溶接等の手段で固定することによって、コーナー部の縦、横、高さ方向のフレーム材の端部同士が接合されている。
【００１７】
なお、高さ方向のフレーム材１ａの端部内面に対する接合部品１ｃの固定手段は上記の溶接に限定されるものではなく、ボルト・ナットやリベット等の止具を用いて固定しても勿論よい。
【００１８】
フレーム材１ａとしては、鉄などの金属製のフレーム材（好ましくは防錆処理を施したもの）や強度の大きいＦＲＰなどの合成樹脂製のフレーム材が好ましく使用され、また、接合部品１ｃも同様の金属製又は合成樹脂製のものが好ましく使用されるが、上記のようにフレーム材１ａに接合部品１ｃを溶接する場合は、鉄などの金属製のフレーム材や接合部品１ｃが使用される。
【００１９】
骨格１の四周に張り付けられる側面パネル３は、施工現場においてホールソー等により孔開け加工ができる材質のもの、例えば、ポリエチレン、ポリプロピレン等の合成樹脂パネルや、発泡ウレタンをＦＲＰ板で挟んだ複合パネル、ＳＭＣ（シートモールディングコンパウンド）やレジンコンクリート製のパネルなどが使用される。また、孔開け加工が可能である限り、金属製のパネルも使用可能である。この側面パネル３は土圧に耐え得る強度が必要であるから、その材質や骨格１の大きさ（フレーム材１ａの相互間隔）等を勘案して、５〜１５０ｍｍ程度の厚さを有する側面パネル３を使用することが望ましい。
【００２０】
上記の側面パネル３は、パネル周縁部に止具挿通孔３ａが上記フレーム材１ａの止具挿通孔１ｂに対応して穿孔されており、ボルト・ナットやリベット等の止具で骨格１のフレーム材１ａに張り付けられている。
【００２１】
また、底面パネル２や上面パネル４は、前述した側面パネル３と同様の材質からなる５０〜２００ｍｍ程度の厚さを備えた高強度のパネルが好ましく使用される。上面パネル４には点検口４ａが形成されており、この点検口４ａに対応した点検口を有する鉄蓋（不図示）が上面パネル４の上に載置されるようになっている。これらの底面パネル２及び上面パネル４は、側面パネル３と同じ手段で骨格１の底面と上面に固定されている。
【００２２】
上記のように、側面パネル３、底面パネル２、上面パネル４を骨格１に張り付ける際には、各パネル２，３，４の周縁部と骨格１のフレーム材１ａとの間に防水材（不図示）を挟着することが望ましく、このように防水材を挟着すると、内部への地中水の侵入を阻止してケーブルや機器類を保護できるハンドホールを作製することが可能となる。防水材としては、ゴムパッキン、コーキング材、二液硬化型のウレタンやエポキシ樹脂などが使用される。
【００２３】
上記のハンドホールは、立方体形の骨格１と六面のパネル２，３，４からなる簡素な構造を有するものであるため、従来のコンクリート製のハンドホールに比べると、遥かに軽量で持運びが容易であり、重機等を使用しないで簡単に埋設することができる。そして、埋設現場において、図１に示すように、電線ケーブルや通信ケーブルを挿通するケーブル管５，５に対応して側面パネル３に孔３ｂ，３ｂをホールソー等で穿孔し、ケーブル管５，５を水密的に差込み接続して電線ケーブルや通信ケーブルをハンドホールに挿通できるので、施工性が良好である。
【００２４】
また、このハンドホールは、外形寸法を従来のコンクリート製のハンドホールより小さくしても、十分な内容積を確保して多数のケーブルを挿通できるため、埋設スペースの少ない狭小な歩道等の地中にも容易に埋設できる利点がある。しかも、このハンドホールは、フレーム材１ａで組立てた骨格１に六面のパネル２，３，４を張り付けるだけの作業によって簡単に製作でき、フレーム材１ａやパネル２，３，４を切断してその寸法を変えれば、所望の大きさを有する立方体形のハンドホールを安価に製作することができる。
【００２５】
以上、代表的な実施形態を挙げて本発明のハンドホール説明したが、本発明はこの実施形態のみに限定されるものではなく、例えば、骨格１に中間のフレーム材を増設して強度を高めるなど、種々の変更を加えてもよいものである。
【００２６】
【発明の効果】
以上の説明から明らかなように、本発明のハンドホールは、軽量で運搬性や施工性が良好であり、製作が簡単でコストを抑えることができ、内容積の割りには外形寸法が小さく狭い埋設スペースでも容易に埋設できる等の効果を奏する。
【図面の簡単な説明】
【図１】本発明の一実施形態に係るハンドホールの斜視図である。
【図２】同ハンドホールの分解斜視図である。
【図３】同ハンドホールの骨格のコーナー部を示す拡大部分斜視図である。
【符号の説明】
１  骨格
１ａ  フレーム材
１ｃ  接合部品
２  底面パネル
３  側面パネル
４  上面パネル
４ａ  点検口
【図１】
2005030044.tif 000003
【図２】
2005030044.tif 000004
【図３】
2005030044.tif 000005